(57)【要約】      （修正有）【課題】  外乱の影響を受けることの少ない安定性に優れた空調システムを提供する。【解決手段】  複数の対象室１に対する分岐風路２ａ夫々の検出通風量ｑｓに基づき風量調整ダンパＶｓの開度を調整して分岐風路２ａ夫々の通風量ｑｓを設定通風量ｑｓｓに調整する、又は、複数の対象室１夫々の検出室圧ｐに基づき風量調整ダンパＶｒの開度を調整して対象室１夫々の室圧ｐを設定室圧ｐｓに調整するダンパ制御手段５Ａ，５Ｂと、風量調整ダンパＶｓ，Ｖｒ夫々の検出開度に基づきファンＦｓ，Ｆｒの出力を調整して風量調整ダンパＶｓ，Ｖｒ夫々の開度を設定適正開度Ｘ，Ｙに調整するファン制御手段Ｉｓ，Ｅｓ，Ｉｒ，Ｅｒとを設けてある空調システムにおいて、ファン制御手段Ｉｓ，Ｅｓ，Ｉｒ，Ｅｒは、主風路２，３の風路圧変化とは独立してファンＦｓ，Ｆｒに対する駆動周波数ｈｓ，ｈｒを調整する構成にする。【選択図】        図１
2006349232.tif 000002
【特許請求の範囲】
【請求項１】
ファンに接続した主風路に複数の対象室を分岐風路を介して並列に接続するとともに、これら分岐風路の夫々に風量調整ダンパを設け、
前記分岐風路夫々の検出通風量に基づき前記風量調整ダンパの開度を調整して前記分岐風路夫々の通風量を設定通風量に調整する、
又は、前記対象室夫々の検出室圧に基づき前記風量調整ダンパの開度を調整して前記対象室夫々の室圧を設定室圧に調整するダンパ制御手段と、
前記風量調整ダンパ夫々の検出開度に基づき前記ファンの出力を調整して前記風量調整ダンパ夫々の開度を設定適正開度に調整するファン制御手段とを設けてある空調システムであって、
前記ファン制御手段は、前記主風路の風路圧変化とは独立して前記風量調整ダンパ夫々の検出開度に応じ前記ファンに対する駆動モータの駆動周波数を調整するインバータ制御により前記ファンの出力を調整する構成にしてある空調システム。
【請求項２】
上限開度及び下限開度ともに中間開度を設定してある設定中間開度範囲を、複数の前記風量調整ダンパに対する共通の前記設定適正開度とし、
前記ファン制御手段は、前記主風路の風路圧変化とは独立して前記風量調整ダンパ夫々の検出開度に応じ前記駆動モータの駆動周波数を調整することで、前記風量調整ダンパ夫々の開度をその全てが設定中間開度範囲の範囲内になる状態に調整する構成にしてある請求項１記載の空調システム。
【請求項３】
ファンに接続した主風路に複数の対象室を分岐風路を介して並列に接続するとともに、これら分岐風路の夫々に風量調整ダンパを設け、
前記分岐風路夫々の検出通風量に基づき前記風量調整ダンパの開度を調整して前記分岐風路夫々の通風量を設定通風量に調整する、
又は、前記対象室夫々の検出室圧に基づき前記風量調整ダンパの開度を調整して前記対象室夫々の室圧を設定室圧に調整するダンパ制御手段と、
前記風量調整ダンパ夫々の検出開度に基づき前記ファンの出力を調整して前記風量調整ダンパ夫々の開度を設定適正開度に調整するファン制御手段とを設けてある空調システムであって、
前記ファン制御手段は、前記ファンの起動時に、前記風量調整ダンパの開度変化及び前記主風路の風路圧変化の夫々とは独立して前記ファンに対する駆動モータの駆動周波数を設定周波数変化パターンに従い漸次的に上昇させるインバータ制御により前記ファンの出力を漸次的に増大させる構成にしてある空調システム。
【請求項４】
前記設定周波数変化パターンとして、前記駆動周波数の漸次的上昇に伴い、その上昇率が連続的に小さくなる対数曲線的な変化パターン、又は、前記駆動周波数の漸次的上昇に伴い、その上昇率が段階的に小さくなる折れ線的な変化パターンを設定してある請求項３記載の空調システム。
【請求項５】
複数時点夫々の設定駆動周波数の指定に応じて前記設定周波数変化パターンを自動的に設定するパターン設定手段を設けてある請求項３又は４記載の空調システム。
【請求項６】
前記主風路の風路圧についての目標変化パターンの指定、又は、前記主風路の風路圧についての複数時点夫々の目標風路圧の指定に応じて、前記主風路の風路圧と前記駆動周波数との相関に基づき前記設定周波数変化パターンを自動的に設定するパターン設定手段を設けてある請求項３又は４記載の空調システム。
【発明の詳細な説明】
【技術分野】
【０００１】
本発明は空調システムに関し、詳しくは、ファンに接続した主風路に複数の対象室を分岐風路を介して並列に接続するとともに、これら分岐風路の夫々に風量調整ダンパを設け、前記分岐風路夫々の検出通風量に基づき前記風量調整ダンパの開度を調整して前記分岐風路夫々の通風量を設定通風量に調整する、又は、前記対象室夫々の検出室圧に基づき前記風量調整ダンパの開度を調整して前記対象室夫々の室圧を設定室圧に調整するダンパ制御手段と、前記風量調整ダンパ夫々の検出開度に基づき前記ファンの出力を調整して前記風量調整ダンパ夫々の開度を設定適正開度に調整するファン制御手段とを設けてある空調システムに関する。
【背景技術】
【０００２】
上記の空調システムにおいて（図５参照）、ファン制御手段は、風量調整ダンパＶｓ，Ｖｒ夫々の検出開度ａ１〜ａ３，ｂ１〜ｂ３に基づきファンＦｓ，Ｆｒの出力を調整して主風路２．３の風路圧ｆｓ，ｆｒ（風路内気体の圧力）を調整することにより、ダンパ制御手段５Ａ，５Ｂが実行する風量調整ダンパＶｓ，Ｖｒの開度調整による分岐風路２ａの通風量調整や対象室１の室圧調整上で風量調整ダンパＶｓ，Ｖｒ夫々の開度を所要方向に変化させ、これにより、それら風量調整ダンパＶｓ，Ｖｒの開度を設定適正開度Ｘ，Ｙに調整するものである。
【０００３】
ところで従来、この種の空調システムでは、ファン制御手段を構成するのに、同図５に示す如く、ファンＦｓ，Ｆｒに接続した主風路２，３の風路圧ｆｓ，ｆｒを検出する風路圧センサ８ａ，８ｂ、及び、この風路圧センサ８ａ，８ｂによる検出風路圧ｆｓ，ｆｒと設定風路圧ｆｓｓ，ｆｒｓとの偏差に基づくＰＩＤ制御によりファンＦｓ，Ｆｒの出力を調整して主風路２，３の風路圧ｆｓ，ｆｒを設定風路圧ｆｓｓ，ｆｒｓに調整するファン調整器９Ａ，９Ｂを設けるとともに、風量調整ダンパＶｓ，Ｖｒ夫々の検出開度ａ１〜ａ３，ｂ１〜ｂ３に基づきファン調整器９Ａ，９Ｂにおける設定風路圧ｆｓｓ，ｆｒｓを変更することでファンＦｓ，Ｆｒの出力を変化させて風量調整ダンパＶｓ，Ｖｒ夫々の開度を設定適正開度Ｘ，Ｙに調整する風路圧調整器１０Ａ，１０Ｂを設けていた。
【０００４】
そして、ファン調整器９Ａ，９Ｂは、具体的には上記偏差に応じたＰＩＤ演算出力に基づくインバータ制御によりファンＦｓ，Ｆｒに対する駆動モータの駆動周波数を調整することで、ファンＦｓ，Ｆｒの出力を調整する構成にしていた。
【０００５】
すなわち従来、ファン制御手段は、風量調整ダンパＶｓ，Ｖｒ夫々の検出開度ａ１〜ａ３，ｂ１〜ｂ３に基づきファンＦｓ，Ｆｒの出力を調整するのに、主風路２，３の検出風路圧ｆｓ，ｆｒを主フィードバック量とするＰＩＤ動作フィードバック制御系Ｂｓ，Ｂｒ（つまり、風路圧センサ８ａ，８ｂとファン調整器９Ａ，９Ｂとで構成されるフィードバック制御系）を介してファンＦｓ，Ｆｒの出力を調整する構成にしていた。
【０００６】
また従来、この種の空調システムにおいて、システムの運転開始を円滑にする（特に、室圧調整では、設定室圧ｐｓの高い対象室１の室圧ｐが設定室圧ｐｓの低い対象室１の室圧ｐよりも低くなる室圧逆転現象を防止する）などの目的で、ファンＦｓ，Ｆｒの起動時にファンＦｓ，Ｆｒの出力を漸次的に増大させる緩起動制御をファン制御手段に実行させる場合には、風量調整ダンパＶｓ，Ｖｒ夫々の検出開度ａ１〜ａ３，ｂ１〜ｂ３とは独立してファン調整器９Ａ，９Ｂにおける設定風路圧ｆｓｓ，ｆｒｓを風路圧調整器１０Ａ，１０Ｂにより初期風路圧から直線的な目標変化パターンに沿って漸次的に上昇ないし低下（すなわち、給気ファンＦｓの場合は上昇、排気ファンＦｒの場合は低下）させることで、ファンＦｓ，Ｆｒの出力を漸次的に増大させるようにしていた。（下記特許文献１，２参照）。
【０００７】
【特許文献１】特開平１０−１１０９８３号公報
【特許文献２】特開平１１−１７３６４９号公報
【発明の開示】
【発明が解決しようとする課題】
【０００８】
しかし、上記の従来システムでは、風路口から主風路２，３に及ぶ外風圧（外部の風の風圧）などの外乱により主風路２，３の風路圧ｆｓ，ｆｒが周期的に変動する状態が生じると、その周期的な風路圧変動が風路圧センサ８ａ，８ｂにより拾われて直接的に前述のＰＩＤ動作フィードバック制御系Ｂｓ，Ｂｒに帰還されることで、その風路圧変動の変動周期によっては制御系の時定数などとの関係から、そのＰＩＤ動作フィードバック制御系Ｂｓ，Ｂｒによるファン出力の調整（すなわち、ファン調整器９Ａ，９Ｂによるファン出力の調整）が不安定になって主風路２，３の風路圧変動が却って助長され、そのことで、ダンパ制御手段５Ａ，５Ｂが実行する風量調整ダンパＶｓ、Ｖｒの開度調整も不安定になって、その開度調整による分岐風路２ａの通風量調整や対象室１の室圧調整が不安定になる問題があった。
【０００９】
そして、最悪の場合、上記のＰＩＤ動作フィードバック制御系Ｂｓ，Ｂｒによるファン出力の調整上でファンＦｓ，Ｆｒの出力が共振的に振動するハンチング現象が生じて制御不能な状態に陥り、そのことでシステムの運転が不能になる事態を招く虞もあった。
【００１０】
この実情に鑑み、本発明の主たる課題は、合理的な改良により上記の如き問題を効果的に解消する点にある。
【課題を解決するための手段】
【００１１】
〔１〕本発明の第１特徴構成は空調システムに係り、その特徴は、
ファンに接続した主風路に複数の対象室を分岐風路を介して並列に接続するとともに、これら分岐風路の夫々に風量調整ダンパを設け、
前記分岐風路夫々の検出通風量に基づき前記風量調整ダンパの開度を調整して前記分岐風路夫々の通風量を設定通風量に調整する、
又は、前記対象室夫々の検出室圧に基づき前記風量調整ダンパの開度を調整して前記対象室夫々の室圧を設定室圧に調整するダンパ制御手段と、
前記風量調整ダンパ夫々の検出開度に基づき前記ファンの出力を調整して前記風量調整ダンパ夫々の開度を設定適正開度に調整するファン制御手段とを設ける空調システムにおいて、
前記ファン制御手段は、前記主風路の風路圧変化とは独立して前記風量調整ダンパ夫々の検出開度に応じ前記ファンに対する駆動モータの駆動周波数を調整するインバータ制御により前記ファンの出力を調整する構成にしてある点にある。
【００１２】
つまり、この第１特徴構成によれば、ファン制御手段は、風量調整ダンパ夫々の検出開度に基づきファンの出力を調整する（具体的には、インバータ制御によりファンに対する駆動モータの駆動周波数を調整する）のに、主風路の風路圧変化とは独立して風量調整ダンパ夫々の検出開度に応じファンに対する駆動モータの駆動周波数を調整する調整形態、すなわち、先述の従来システムとの比較で言えば、主風路の検出風路圧を主フィードバック量とするＰＩＤ動作フィードバック制御系を介さず、風量調整ダンパ夫々の検出開度に応じ直接的にファンに対する駆動モータの駆動周波数を調整する調整形態を採るから、風路口から主風路に及ぶ外風圧などの外乱により主風路の風路圧が周期的に変動する状態が生じたとしても、従来システムにおける先述の如き不都合、すなわち、その周期的な風路圧変動が風路圧センサにより拾われて直接的にＰＩＤ動作フィードバック制御系に帰還されることで、そのＰＩＤ動作フィードバック制御系によるファン出力の調整が不安定になって主風路の風路圧変動が却って助長されるといった不都合や、最悪の場合、ＰＩＤ動作フィードバック制御系によるファン出力の調整上でファンの出力が共振的に振動するハンチング現象が生じて制御不能な状態に陥るといった不都合を生じることがなく、周期的な風路圧変動の影響を受けるとしても、その風路圧変動に対してダンパ制御手段が分岐風路の通風量調整上や対象室の室圧調整上で風量調整ダンパ夫々の開度を調整することが、ファン制御手段による風量調整ダンパ夫々の検出開度に基づくファン出力の調整（つまり、駆動周波数の調整）にある程度影響するだけの間接的で軽微な影響を受けるだけで済む。
【００１３】
このことから、第１特徴構成によれば、従来システムに比べシステムの信頼性を一層高めることができ、また、ファン出力の調整が安定することでダンパ制御手段による分岐風路の通風量調整や対象室の室圧調整についても、その安定性及び調整精度を一層高めることができる。
【００１４】
〔２〕本発明の第２特徴構成は、第１特徴構成の実施に好適な実施形態を特定するものであり、その特徴は、
上限開度及び下限開度ともに中間開度を設定してある設定中間開度範囲を、複数の前記風量調整ダンパに対する共通の前記設定適正開度とし、
前記ファン制御手段は、前記主風路の風路圧変化とは独立して前記風量調整ダンパ夫々の検出開度に応じ前記駆動モータの駆動周波数を調整することで、前記風量調整ダンパ夫々の開度をその全てが設定中間開度範囲の範囲内になる状態に調整する構成にしてある点にある。
【００１５】
つまり、一般にダンパは、全開に近い状態では開度変化に対する風量の変化率が小さくなって、そのダンパの開度の調整による風量調整や圧力調整の調整感度が低下し、また、全閉に近い状態では開度変化に対する風量の変化率が大きくなって、そのダンパの開度の調整による風量調整や圧力調整の安定性が低下する特性を有するが、上記第２特徴構成によれば、風量調整ダンパ全ての開度が上下限開度ともに中間開度の設定中間開度範囲に入るように、ファンに対する駆動モータの駆動周波数を調整してファンの出力を調整する調整形態を採るから、ダンパ制御手段が実行する風量調整ダンパの開度の調整による分岐風路の通風量調整や対象室の室圧調整において、それら風量調整ダンパの夫々をダンパ特性上で風量調整や圧力調整の調整感度が良く、かつ、風量調整や圧力調整の安定性も良い状態に極力保つようにすることができ、これにより、それら分岐風路の通風量調整や対象室の室圧調整の安定性及び調整精度を一層効果的に高めることができる。
【００１６】
〔３〕本発明の第３特徴構成は空調システムに係り、その特徴は、
ファンに接続した主風路に複数の対象室を分岐風路を介して並列に接続するとともに、これら分岐風路の夫々に風量調整ダンパを設け、
前記分岐風路夫々の検出通風量に基づき前記風量調整ダンパの開度を調整して前記分岐風路夫々の通風量を設定通風量に調整する、
又は、前記対象室夫々の検出室圧に基づき前記風量調整ダンパの開度を調整して前記対象室夫々の室圧を設定室圧に調整するダンパ制御手段と、
前記風量調整ダンパ夫々の検出開度に基づき前記ファンの出力を調整して前記風量調整ダンパ夫々の開度を設定適正開度に調整するファン制御手段とを設ける空調システムにおいて、
前記ファン制御手段は、前記ファンの起動時に、前記風量調整ダンパの開度変化及び前記主風路の風路圧変化の夫々とは独立して前記ファンに対する駆動モータの駆動周波数を設定周波数変化パターンに従い漸次的に上昇させるインバータ制御により前記ファンの出力を漸次的に増大させる構成にしてある点にある。
【００１７】
つまり、システムの運転開始を円滑にするなどの目的で、ファンの起動時にファンの出力を漸次的に増大させる緩起動制御を行うのに、先述の従来システムが採る方式、すなわち、風量調整ダンパ夫々の検出開度とは独立してファン調整器（つまり、前述のＰＩＤ動作フィードバック制御系）における設定風路圧を風路圧調整器により初期風路圧から目標変化パターンに沿って漸次的に上昇ないし低下させる方式では、ファン出力の立ち上がり後においてファン制御手段により風量調整ダンパ夫々の検出開度に基づきファンの出力を調整する定常運転時と同様、ファン出力を漸次的に増大させる緩起動制御の過程において外風圧などの外乱により主風路の風路圧が周期的に変動する状態が生じると、その周期的風路圧変動が風路圧センサにより拾われてＰＩＤ動作フィードバック制御系に帰還されることで、その風路圧変動の変動周期によってはＰＩＤ動作フィードバック制御系によるファン出力の調整が不安定になって、ファン出力の漸次増大が不安定で不円滑なものになり、そのことで、システムの運転開始を円滑にする（特に、室圧調整では室圧逆転を防止する）などの緩起動制御の所期目的を十分かつ確実に達成できなくなる問題がある。
【００１８】
また、最悪の場合には、これもファン出力の立ち上がり後における定常運転時と同様、ファン出力を漸次的に増大させる緩起動制御の過程において、ＰＩＤ動作フィードバック制御系によるファン出力の調整上でファンの出力が共振的に振動するハンチング現象が生じて制御不能な状態に陥り、システムの運転が不能になる事態を招く虞もある。
【００１９】
これに対し、上記第３特徴構成によれば、ファンの起動時にファンの出力を漸次的に増大させる緩起動制御（具体的にはインバータ制御によりファンに対する駆動モータの駆動周波数を漸次的に上昇させる緩起動制御）を行うのに、風量調整ダンパの開度変化及び主風路の風路圧変化の夫々とは独立してファンに対する駆動モータの駆動周波数を設定周波数変化パターンに従い漸次的に上昇させる調整形態、すなわち、先述の従来システムとの比較で言えば、主風路の検出風路圧を主フィードバック量とするＰＩＤ動作フィードバック制御系を介さず、直接的にファンに対する駆動モータの駆動周波数を設定周波数変化パターンに従い漸次的に上昇させる調整形態を採るから、ファン出力を漸次的に増大させる緩起動制御の過程において外風圧などの外乱により主風路の風路圧が周期的に変動する状態が生じたとしても、従来システムにおける上述の如き不都合、すなわち、その周期的風路圧変動が風路圧センサにより拾われてＰＩＤ動作フィードバック制御系に帰還されることで、そのＰＩＤ動作フィードバック制御系によるファン出力の調整が不安定になってファン出力の漸次増大が不安定で不円滑なものになるといった不都合や、最悪の場合、ＰＩＤ動作フィードバック制御系によるファン出力の調整上でファンの出力が共振的に振動するハンチング現象が生じて制御不能な状態に陥るといった不都合を生じることがない。
【００２０】
このことから、第３特徴構成によれば、従来システムに比べシステムの信頼性を一層高めることができ、また、緩起動制御によるファン出力の漸次増大が安定的かつ円滑なものになることで、システムの運転開始を円滑にするなどの緩起動制御の所期目的を一層確実かつ効果的に達成することができる。
【００２１】
なお、第３特徴構成の実施においては、緩起動制御によりファンの出力を漸次的に増大させた後の定常運転において、ファン制御手段により風量調整ダンパ夫々の検出開度に基づきファンの出力を調整して風量調整ダンパ夫々の開度を設定適正開度に調整するのに、前述の第１特徴構成を採用するのが望ましいが、場合によっては、定常運転への移行後、ファンの出力を従来システムと同様の調整形態（すなわち、主風路の検出風路圧を主フィードバック量とするＰＩＤ動作フィードバック制御系を介する調整形態）で調整するようにしてもよい。
【００２２】
〔４〕本発明の第４特徴構成は、第３特徴構成の実施に好適な実施形態を特定するものであり、その特徴は、
前記設定周波数変化パターンとして、前記駆動周波数の漸次的上昇に伴い、その上昇率が連続的に小さくなる対数曲線的な変化パターン、又は、前記駆動周波数の漸次的上昇に伴い、その上昇率が段階的に小さくなる折れ線的な変化パターンを設定してある点にある。
【００２３】
つまり、ファンに対する駆動モータの駆動周波数を設定周波数変化パターンに従い漸次的に上昇させる前述の緩起動制御において、その設定周波数変化パターンを先述の従来システムにおける設定風路圧の目標変化パターンと同様の直線的な変化パターンにした場合、ファンに対する駆動モータの駆動周波数とファンの回転数とが比例関係にあり、かつ、ファンの形成圧（給気ファンでは吐出圧、排気ファンでは吸引圧）がファンの回転数の２乗に比例することから、ファン形成圧（換言すれば、主風路の風路圧）の絶対値は二次曲線的に上昇し、この為、緩起動制御の初期にはファン形成圧の絶対値が過小の状態が暫く続いて、それが原因でダンパ制御手段による風量調整ダンパの開度調整が分岐風路の通風量調整や対象室の室圧調整において有効に機能しない状態を招き易くなり、また逆に、緩起動制御の後期にはファン形成圧の絶対値の上昇率が過大になって、それが原因で風量調整ダンパの開度調整による分岐風路の通風量調整や対象室の室圧調整においてダンパ制御手段による風量調整ダンパの開度調整が主風路の急激な風路圧変化に対し十分に追従できない状態を招き易くなり、これらのことで、システムの運転開始を円滑にする（特に室圧調整では室圧逆転現象を防止する）などの緩起動制御の所期目的を十分に達成できない場合が生じる。
【００２４】
これに対し、上記第４特徴構成によれば、駆動周波数の漸次的上昇に伴い、その上昇率が連続的又は段階的に小さくなる対数曲線的（代表的にはｙ＝ｘ1/2曲線的）又は折れ線的な変化パターンを設定周波数変化パターンとするから、緩起動制御において、それら対数曲線的又は折れ線的な設定周波数変化パターンに沿って駆動周波数を漸次的に上昇させるに伴い、上記した駆動周波数とファン回転数との関係、及び、ファン形成圧とファン回転数との関係により、ファン形成圧の絶対値を上昇率一定の状態で直線的に上昇させる、ないし、それに近似する上昇形態で上昇させることができ、これにより、ファンに対する駆動モータの駆動周波数を設定周波数変化パターンに沿って上昇させる制御形態を採りながらも、上記の如き緩起動制御の初期や後期における通風量調整上や室圧調整上での調整機能の問題や追従性の問題を効果的に防止することができて、システムの運転開始を円滑にするなどの緩起動制御の所期目的を一層確実かつ効果的に達成することができる。
【００２５】
〔５〕本発明の第５特徴構成は、第３又は第４特徴構成の実施に好適な実施形態を特定するものであり、その特徴は、
複数時点夫々の設定駆動周波数の指定に応じて前記設定周波数変化パターンを自動的に設定するパターン設定手段を設けてある点にある。
【００２６】
つまり、この第５特徴構成によれば、例えば緩起動制御における始点と中間点の終点との３点など複数時点夫々の設定駆動周波数を指定すれば、その指定に応じた設定周波数変化パターン（例えば、第４特徴構成の実施では対数曲線的又は折れ線的な設定周波数変化パターン）が自動的に設定されるから、その設定周波数変化パターンの設定を容易にすることができる。
【００２７】
そして、このことにより、緩起動制御の実施で分岐風路の通風量や対象室の室圧の実際の変化を確認して、その確認に基づき設定周波数変化パターンを微調整的に再設定するといったことも容易になり、この点からも、システムの運転開始を円滑にするなどの緩起動制御の所期目的を一層確実かつ効果的に達成することができる。
【００２８】
〔６〕本発明の第６特徴構成は、第３又は第４特徴構成の実施に好適な実施形態を特定するものであり、その特徴は、
前記主風路の風路圧についての目標変化パターンの指定、又は、前記主風路の風路圧についての複数時点夫々の目標風路圧の指定に応じて、前記主風路の風路圧と前記駆動周波数との相関に基づき前記設定周波数変化パターンを自動的に設定するパターン設定手段を設けてある点にある。
【００２９】
つまり、この第６特徴構成によれば、ファンに対する駆動モータの駆動周波数に代え、風量調整ダンパの開度調整による分岐風路の通風量調整や対象室の室圧調整に対し直接的に影響する主風路の風路圧についての目標変化パターンや複数時点夫々の目標風路圧を指定すれば、主風路の風路圧と駆動周波数との相関（具体的には、前述した駆動モータの駆動周波数とファン回転数との関係、及び、ファン回転数とファン形成圧との関係）に基づき、その指定に応じた駆動モータの駆動周波数についての設定周波数変化パターンが自動的に設定されるから、風量調整ダンパの開度調整による分岐風路の通風量調整や対象室の室圧調整に対する影響を感覚的に把握し難い駆動周波数の指定により設定周波数変化パターンを設定するなどに比べ、適切な設定周波数変化パターンの設定を容易にすることができ、この点からも、システムの運転開始を円滑にするなどの緩起動制御の所期目的を一層確実かつ効果的に達成することができる。
【発明を実施するための最良の形態】
【００３０】
図１は複数の対象室１に対する空調システムを示し、２は給気ファンＦｓの吐出側に接続した主給気風路、３は排気ファンＦｒの吸入側に接続した主排気風路であり、各対象室１は給気側の分岐風路２ａを介して主給気風路２に並列に接続するとともに、排気側の分岐風路３ａを介して主排気風路３に並列に接続してある。また、４は対象室１への供給空気を温湿度調整する空調機である。
【００３１】
Ｖｓは給気側の各分岐風路２ａに介装した給気側の風量調整ダンパであり、これら給気側風量調整ダンパＶｓの開度の調整により各対象室１に対する給気量ｑｓを調整する。また、Ｖｒは排気側の各分岐風路３ａに介装した排気側の風量調整ダンパであり、これら排気側風量調整ダンパＶｒの開度の調整により各対象室１からの排気量ｑｒを調整することで各対象室１の室圧ｐ（具体的には室内外の差圧、あるいは、基準圧と室内圧との差圧）を調整する。
【００３２】
５Ａは給気側風量調整ダンパＶｓに対するダンパ制御手段としての給気側ダンパ制御器であり、これら給気側ダンパ制御器５Ａは、各対象室１への給気量ｑｓ（換言すれば、給気側分岐風路２ａの通風量）が統括制御器ＣＣによる設定給気量ｑｓｓ（設定通風量）になるように、給気量センサ６による検出給気量ｑｓに基づき給気側風量調整ダンパＶｓの開度を調整する。
【００３３】
５Ｂは排気側風量調整ダンパＶｒに対するダンパ制御手段としての排気側ダンパ制御器であり、これら排気側ダンパ制御器５Ｂは、各対象室１の室圧ｐが統括制御器ＣＣによる設定室圧ｐｓになるように、室圧センサ７による検出室圧ｐに基づき排気側風量調整ダンパＶｒの開度を調整する。
【００３４】
給気ファンＦｓに対しては、その給気ファンＦｓに対する駆動モータｍｓの駆動周波数ｈｓ（給気ファンＦｓの回転数に比例）を設定駆動周波数ｈｓｓに調整する給気側のインバータ制御器Ｉｓを設けてあり、これに対し、統括制御器ＣＣには、給気側風量調整ダンパＶｓ夫々の検出開度ａ１〜ａ３に基づき、図２に示す如く、これら給気側風量調整ダンパＶｓの開度ａ１〜ａ３が全て、上下限開度ｘ１，ｘ２ともに中間開度を設定してある給気側の設定中間開度範囲Ｘの範囲内になるように、給気側インバータ制御器Ｉｓの調整目標である給気側の上記設定駆動周波数ｈｓｓを変更する給気側のファン出力調整部Ｅｓを設けてある。
【００３５】
また、排気ファンＦｒに対しては、その排気ファンＦｒに対する駆動モータｍｒの駆動周波数ｈｒ（排気ファンＦｒの回転数に比例）を設定駆動周波数ｈｒｓに調整する排気側のインバータ制御器Ｉｒを設けてあり、これに対し、統括制御器ＣＣには、給気側と同様（図２参照）、排気側風量調整ダンパＶｒ夫々の検出開度ｂ１〜ｂ３に基づき、これら排気側風量調整ダンパＶｒの開度ｂ１〜ｂ３が全て、上下限開度ｙ１，ｙ２ともに中間開度を設定してある排気側の設定中間開度範囲Ｙの範囲内になるように、排気側インバータ制御器Ｉｒの調整目標である排気側の上記設定駆動周波数ｆｒｓを変更する排気側の出力調整部Ｅｒを設けてある。
【００３６】
つまり、給気側のインバータ制御器Ｉｓと給気側の出力調整部Ｅｓとは、主給気風路２の風路圧変化とは独立した状態（図５に示す従来システムとの比較で言えば、主給気風路２の風路圧ｆｓを主フィードバック量とするフィードバック制御系Ｂｓを介さない状態）で、給気側風量調整ダンパＶｓ夫々の検出開度ａ１〜ａ３に応じ給気ファンＦｓに対する駆動モータｍｓの駆動周波数ｈｓ（ｈｓｓ）を調整するインバータ制御をもって給気ファンＦｓの出力を調整することにより、給気側風量調整ダンパＶｓの開度ａ１〜ａ３をその全てが共通設定適正開度としての上記給気側の設定中間開度範囲Ｘの範囲内になる状態に調整する給気側のファン制御手段を構成する。
【００３７】
また、排気側のインバータ制御器Ｉｒと排気側の出力調整部Ｅｒとは、主排気風路３の風路圧変化とは独立した状態（図５に示す従来システムとの比較で言えば、主排気風路３の風路圧ｆｒを主フィードバック量とするフィードバック制御系Ｂｒを介さない状態）で、排気側風量調整ダンパＶｒ夫々の検出開度ｂ１〜ｂ３に応じ排気ファンＦｒに対する駆動モータｍｒの駆動周波数ｈｒ（ｈｒｓ）を調整するインバータ制御をもって排気ファンＦｒの出力を調整することにより、排気側風量調整ダンパＶｒの開度ｂ１〜ｂ３をその全てが共通設定適正開度としての上記排気側の設定中間開度範囲Ｙの範囲内になる状態に調整する排気側のファン制御手段を構成する。
【００３８】
そして、給気側の出力調整部Ｅｓは、具体的には次の（イ）〜（ハ）の制御ルールに従って給気側インバータ制御器Ｉｓにおける設定駆動周波数ｈｓｓを変更する構成にしてある。
【００３９】
（イ）給気側風量調整ダンパＶｓの検出開度ａ１〜ａ３のうち最大のものが給気側の設定中間開度範囲Ｘを大開度側に逸脱しているとき、それら給気側風量調整ダンパＶｓの検出開度ａ１〜ａ３のうち最小のものが給気側の設定中間開度範囲Ｘを小開度側に逸脱しているか否かにかかわらず、給気側インバータ制御器Ｉｓにおける設定駆動周波数ｈｓｓを上昇側に変更する。
【００４０】
すなわち、この設定駆動周波数ｈｓｓの上昇側への変更により給気ファンＦｓの出力を上昇側に調整して、この出力調整に対し、給気側ダンパ制御器５Ａが実行する給気側風量調整ダンパＶｓの開度調整による給気量ｑｓの調整上で給気側風量調整ダンパＶｓの夫々が閉じ側に開度調整されるようにし、これにより、給気側風量調整ダンパＶｓの開度ａ１〜ａ３のうち最大のものについての給気側設定中間開度範囲Ｘからの大開度側への逸脱を解消する。
【００４１】
また、この際、検出開度ａ１〜ａ３のうち最大のものについての給気側設定中間開度範囲Ｘからの逸脱量が大きいほど、大きい変更速度で給気側インバータ制御器Ｉｓにおける設定駆動周波数ｈｓｓを上昇側に変更して、上記最大のものの逸脱量が大きいほど大きい出力変化速度で給気ファンＦｓの出力を上昇させる。
【００４２】
（ロ）給気側風量調整ダンパＶｓの検出開度ａ１〜ａ３のうち最大のものが給気側の設定中間開度範囲Ｘの範囲内にある状態で、それら給気側風量調整ダンパＶｓの検出開度ａ１〜ａ３のうち最小のものが給気側の設定中間開度範囲Ｘを小開度側に逸脱しているとき、給気側インバータ制御器Ｉｓにおける設定駆動周波数ｈｓｓを低下側に変更する。
【００４３】
すなわち、この設定駆動周波数ｈｓｓの低下側への変更により給気ファンＦｓの出力を低下側に調整して、この出力調整に対し、給気側ダンパ制御器５Ａが実行する給気側風量調整ダンパＶｓの開度調整による給気量ｑｓの調整上で給気側風量調整ダンパＶｓの夫々が開き側に開度調整されるようにし、これにより、給気側風量調整ダンパＶｓの開度ａ１〜ａ３のうち最小のものについての給気側設定中間開度範囲Ｘからの小開度側への逸脱を解消する。
【００４４】
また、この際、検出開度ａ１〜ａ３のうち最小のものについての給気側設定中間開度範囲Ｘからの逸脱量が大きいほど、大きい変更速度で給気側インバータ制御器Ｉｓにおける設定駆動周波数ｈｓｓを低下側に変更して、上記最小のものの逸脱量が大きいほど大きい出力変化速度で給気ファンＦｓの出力を低下させる。
【００４５】
（ハ）給気側風量調整ダンパＶｓの検出開度ａ１〜ａ３が全て給気側の設定中間開度範囲Ｘの範囲内にあるとき（図２に示す状態）、給気側インバータ制御器Ｉｓにおける設定駆動周波数ｈｓｓを現状値に維持する。
【００４６】
すなわち、この現状値維持により給気ファンＦｓの出力を現状のまま維持して、給気側風量調整ダンパＶｓの開度ａ１〜ａ３が全て給気側設定中間開度範囲Ｘの範囲内にある状態を保つようにする。
【００４７】
一方、排気側の出力調整部Ｅｒは、給気側の出力調整部Ｅｓと同様、具体的には次の（ニ）〜（ヘ）の制御ルールに従って排気側インバータ制御器Ｉｒにおける設定駆動周波数ｈｒｓを変更する構成にしてある。
【００４８】
（ニ）排気側風量調整ダンパＶｒの検出開度ｂ１〜ｂ３のうち最大のものが排気側の設定中間開度範囲Ｙを大開度側に逸脱しているとき、それら排気側風量調整ダンパＶｒの検出開度ｂ１〜ｂ３のうち最小のものが排気側の設定中間開度範囲Ｙを小開度側に逸脱しているか否かにかかわらず、排気側インバータ制御器Ｉｒにおける設定駆動周波数ｈｒｓを上昇側に変更する。
【００４９】
すなわち、この設定駆動周波数ｈｒｓの上昇側への変更により排気ファンＦｒの出力を上昇側に調整して、この出力調整に対し、排気側ダンパ制御器５Ｂが実行する排気側風量調整ダンパＶｒの開度調整による室圧ｐの調整上で排気側風量調整ダンパＶｒの夫々が閉じ側に開度調整されるようにし、これにより、排気側風量調整ダンパＶｒの開度ｂ１〜ｂ３のうち最大のものについての排気側設定中間開度範囲Ｙからの大開度側への逸脱を解消する。
【００５０】
また、この際、検出開度ｂ１〜ｂ３のうち最大のものについての排気側設定中間開度範囲Ｙからの逸脱量が大きいほど、大きい変更速度で排気側インバータ制御器Ｉｒにおける設定駆動周波数ｈｒｓを上昇側に変更して、上記最大のものの逸脱量が大きいほど大きい出力変化速度で排気ファンＦｒの出力を上昇させる。
【００５１】
（ホ）排気側風量調整ダンパＶｒの検出開度ｂ１〜ｂ３のうち最大のものが排気側の設定中間開度範囲Ｙの範囲内にある状態で、それら排気側風量調整ダンパＶｒの検出開度ｂ１〜ｂ３のうち最小のものが排気側の設定中間開度範囲Ｙを小開度側に逸脱しているとき、排気側インバータ制御器Ｉｒにおける設定駆動周波数ｈｒｓを低下側に変更する。
【００５２】
すなわち、この設定駆動周波数ｈｒｓの低下側への変更により排気ファンＦｒの出力を低下側に調整して、この出力調整に対し、排気側ダンパ制御器５Ｂが実行する排気側風量調整ダンパＶｒの開度調整による室圧ｐの調整上で排気側風量調整ダンパＶｒの夫々が開き側に開度調整されるようにし、これにより、排気側風量調整ダンパＶｒの開度ｂ１〜ｂ３のうち最小のものについての排気側設定中間開度範囲Ｙからの小開度側への逸脱を解消する。
【００５３】
また、この際、検出開度ｂ１〜ｂ３のうち最小のものについての排気側設定中間開度範囲Ｙからの逸脱量が大きいほど、大きい変更速度で排気側インバータ制御器Ｉｒにおける設定駆動周波数ｈｒｓを低下側に変更して、上記最小のものの逸脱量が大きいほど大きい出力変化速度で排気ファンＦｒの出力を低下させる。
【００５４】
（ヘ）排気側風量調整ダンパＶｒの検出開度ｂ１〜ｂ３が全て排気側の設定中間開度範囲Ｙの範囲内にあるとき（図２に示す状態）、排気側インバータ制御器Ｉｒにおける設定駆動周波数ｈｒｓを現状値に維持する。
【００５５】
すなわち、この現状値維持により排気ファンＦｒの出力を現状のまま維持して、排気側風量調整ダンパＶｒの開度ｂ１〜ｂ３が全て排気側設定中間開度範囲Ｙの範囲内にある状態を保つようにする。
【００５６】
なお、給気側の設定中間開度範囲Ｘ及び排気側の設定中間開度範囲Ｙの夫々について、上限開度ｘ１，ｙ１の好適例としては７０％開度程度を挙げることができ、下限開度ｘ２，ｙ２の好適例としては３０％開度程度を挙げることができる。
【００５７】
システムの定常運転時には、上記の如く、給気側ダンパ制御器５Ａが実行する給気側風量調整ダンパＶｓの開度調整による給気量ｑｓの調整に併行して、給気側風量調整ダンパＶｓ夫々の検出開度ａ１〜ａ３に基づき給気ファンＦｓの出力を調整し、また、排気側ダンパ制御器５Ｂが実行する排気側風量調整ダンパＶｒの開度調整による室圧ｐの調整に併行して、排気側風量調整ダンパＶｒ夫々の検出開度ｂ１〜ｂ３に基づき排気ファンＦｒの出力を調整するのに対し、統括制御器ＣＣにおける給気側及び排気側の出力調整部Ｅｓ，Ｅｒはシステムの運転開始時における給気ファンＦｓ及び排気ファンＦｒの起動の際に、それら給気ファンＦｓ及び排気ファンＦｒの出力を漸次的に増大させる緩起動制御を実行する。
【００５８】
具体的には、給気側出力調整部Ｅｓは、システムの運転開始時における給気ファンＦｓの起動の際、給気側風量調整ダンパＶｓの検出開度ａ１〜ａ３とは無関係に給気側インバータ制御器Ｉｓの調整目標である設定駆動周波数ｈｓｓを図３に示す如き折れ線状の設定周波数変化パターンＰｓに沿って漸次的に上昇させ、これにより、給気ファンＦｓの出力をゼロから定常値まで漸次的に上昇させる。
【００５９】
また、排気側出力調整部Ｅｒは、給気側出力調整部Ｅｓと同様、システムの運転開始時における排気ファンＦｒの起動の際、排気側風量調整ダンパＶｒの検出開度ｂ１〜ｂ３とは無関係に排気側インバータ制御器Ｉｒの調整目標である設定駆動周波数ｈｒｓを同図３に示す如き折れ線状の設定周波数変化パターンＰｒに沿って漸次的に上昇させ、これにより、排気ファンＦｒの出力をゼロから定常値まで漸次的に上昇させる。
【００６０】
つまり、緩起動制御について給気側のインバータ制御器Ｉｓと給気側の出力調整部Ｅｓとは、給気ファンＦｓの起動時に、給気側風量調整ダンパＶｓの開度変化及び主給気風路２の風路圧変化とは独立した状態で、給気ファンＦｓに対する駆動モータｍｓの駆動周波数ｈｓ（ｈｓｓ）を給気側の設定周波数変化パターンＰｓに従い漸次的に上昇させるインバータ制御により給気ファンＦｓの出力を漸次的に増大させるファン制御手段を構成する。
【００６１】
また、緩起動制御について排気側のインバータ制御器Ｉｒと排気側の出力調整部Ｅｒとは、排気ファンＦｒの起動時に、排気側風量調整ダンパＶｒの開度変化及び主排気風路３の風路圧変化とは独立した状態で、排気ファンＦｒに対する駆動モータｍｒの駆動周波数ｈｒ（ｈｒｓ）を排気側の設定周波数変化パターンＰｒに従い漸次的に上昇させるインバータ制御により排気ファンＦｒの出力を漸次的に増大させるファン制御手段を構成する。
【００６２】
以上要するに、定常運転時及びファンの起動時の夫々において給気ファンＦｓや排気ファンＦｒの出力を調整するのに、上記の如く主給気風路２や主排気風路３の風路圧を主フィードバック量とするフィードバック制御系を介さず、それら主給気風路２や主排気風路３の風路圧変化とは独立して給気ファンＦｓや排気ファンＦｒに対する駆動モータｍｓ，ｍｒの駆動周波数ｈｓ，ｈｒを調整するインバータ制御により給気ファンＦｓや排気ファンＦｒの出力を調整する調整形態を採ることで、外風圧などの外乱による主給気風路２や主排気風路３の周期的な風路圧変動の影響を受けずに給気ファンＦｓや排気ファンＦｒの出力を安定的に調整し得るようにしてある。
【００６３】
また、折れ線状とした給気側及び排気側の設定周波数変化パターンＰｓ，Ｐｒは夫々、対数曲線に近似するものにしてあり、具体的には、同図３に示す如く、これら設定周波数変化パターンＰｓ，Ｐｒの初期部分ｅ１は、設定駆動周波数ｈｓｓ，ｈｒｓを一定の大きな上昇率で上昇させる大勾配の直線状に設定し、また、これら設定周波数変化パターンＰｓ，Ｐｒの中期部分ｅ２は、設定駆動周波数ｈｓｓ，ｈｒｓを初期部分ｅ１よりも小さな一定上昇率で上昇させる中勾配の直線状に設定し、そしてまた、これら設定周波数変化パターンＰｓ，Ｐｒの終期部分ｅ３は、設定駆動周波数ｈｓｓ，ｈｒｓを中期部分ｅ２よりもさらに小さな一定上昇率で上昇させる小勾配の直線状に設定してある。
【００６４】
つまり、これら設定周波数変化パターンＰｓ，Ｐｒを対数曲線（代表的にはｙ＝ｘ1/2曲線）に近似する上記の如き折れ線状のものにすることで、駆動モータｍｓ，ｍｒの駆動周波数ｈｓ，ｈｒとファン回転数との関係、及び、ファン回転数とファンＦｓ，Ｆｒの形成圧（給気ファンＦｓでは吐出圧、排気ファンＦｒでは吸引圧）との関係から、給気ファンＦｓや排気ファンＦｒの形成圧（換言すれば、主給気風路２や主排気風路３の風路圧）の絶対値を前述の緩起動制御において直線に近い上昇経路で漸次的に上昇させるようにしてあり、これにより、風量調整ダンパＶｓ，Ｖｒの開度調整による給気量ｑｓの調整や室圧ｐの調整おいて、給気側及び排気側のダンパ制御器５Ａ，５Ｂによる風量調整ダンパＶｓ，Ｖｒの開度の調整が給気ファンＦｓや排気ファンＦｒの起動による主給気風路２や主排気風路３の風路圧変化に対して十分追従できるようにしながら、給気ファンＦｓや排気ファンＦｒの形成圧の絶対値を極力迅速かつ円滑に立ち上げて、給気側及び排気側のダンパ制御器５Ａ，５Ｂが実行する風量調整ダンパＶｓ、Ｖｒの開度調整による給気量ｑｓの調整や室圧ｐの調整が有効となる状態を極力早期に形成するようにしてある。
【００６５】
Ｓｓは給気側の設定周波数変化パターンＰｓを給気側出力調整部Ｅｓに対して設定する給気側のパターン設定器、Ｓｒは排気側の設定周波数変化パターンＰｒを排気側出力調整部に対して設定する排気側のパターン設定器であり、これらパターン設定器Ｓｓ，Ｓｒは、給気側及び排気側夫々の折れ線状の設定周波数変化パターンＰｓ，Ｐｒにおける始点ｚ１，第１屈折点ｚ２、第２屈折点ｚ３，終点ｚ４の４点夫々の座標（すなわち、各点について時間Ｔの値と設定駆動周波数ｈｓｓ，ｈｒｓの値）が指定されると、その指定に応じた折れ線状の設定周波数変化パターンＰｓ，Ｐｒを給気側や排気側の出力調整器Ｅｓ，Ｅｒに対して自動的に設定する構成にしてある。
【００６６】
なお、システムの運転停止時における給気ファンＦｓや排気ファンＦｒの停止操作については、それらファンＦｓ，Ｆｒに対する駆動モータｍｓ，ｍｒの駆動周波数ｈｓ，ｈｒを停止用の設定周波数変化パターンＰｓ′，Ｐｒ′（図示せず）に沿って漸次的にゼロ値まで低下させるようにしてあり、そして、この停止用の設定周波数変化パターンＰｓ′，Ｐｒ′としては例えば直線的な変化パターンを設定しておく。
【００６７】
〔別の実施形態〕
次に本発明の別実施形態を説明する。
【００６８】
前述の実施形態では、給気側風量調整ダンパＶｓの開度調整により各給気側分岐風路２ａの通風量ｑｓ（対象室１に対する給気量）を設定通風量ｑｓｓに調整し、かつ、排気側風量調整ダンパＶｒの開度調整により各対象室１の室圧ｐを設定室圧ｐｓに調整する例を示したが、逆に、排気側風量調整ダンパＶｒの開度調整により各排気側分岐風路３ａの通風量ｑｒ（対象室１からの排気量）を設定通風量ｑｒｓに調整し、かつ、給気側風量調整ダンパＶｓの開度調整により各対象室１の室圧ｐを設定室圧ｐｓに調整するシステムにおいて、本発明を適用してもよい。
【００６９】
また、室圧調整は実施せず、給気側風量調整ダンパＶｓの開度調整により各給気側分岐風路２ａの通風量ｑｓを設定通風量ｑｓｓに調整することと、排気側風量調整ダンパＶｒの開度調整により各排気側分岐風路３ａの通風量ｑｒを設定通風量ｑｓｓに調整することとのいずれか一方、又は、両方を実施するシステムにおいて、本発明を適用してもよい。  
【００７０】
さらにまた、給気側風量調整ダンパＶｓの開度調整により各対象室１の室圧ｐを設定室圧ｐｓに調整するだけのシステムや、排気側風量調整ダンパＶｒの開度調整により各対象室１の室圧ｐを設定室圧ｐｓに調整するだけのシステムにおいて、本発明を適用してもよい。
【００７１】
対象室１はどのような用途のものであってもよく、また、室圧調整の目的や通風量調整の目的もどのようなものであってもよい。
【００７２】
前述の実施形態では、風量調整ダンパＶｓ，Ｖｒ夫々の検出開度ａ１〜ａ３，ｂ１〜ｂ３に基づきファンＦｓ，Ｆｒの出力を調整して風量調整ダンパＶｓ，Ｖｒ夫々の開度を設定適正開度に調整するファン制御において、上下限開度ともに中間開度を設定してある設定中間開度範囲Ｘ，Ｙを設定適正開度とする例を示したが、これに限らず、設定適正開度はシステムの運転条件や対象室１の用途などに応じ、どのようなものにしてもよい。
【００７３】
また、設定適正開度は風量調整ダンパＶｓ，Ｖｒの全てに対して共通のもの、あるいは、風量調整ダンパＶｓ，Ｖｒごとの個別のもののいずれであってよい。
【００７４】
前述の実施形態では、設定周波数変化パターンＰｓ，Ｐｒを対数曲線に近似する折れ線状の変化パターンにする例を示したが、これに限らず、設定周波数変化パターンＰｓ，Ｐｒは図４に示す如き対数曲線状の変化パターンや他の曲線の変化パターンにしてもよく、また、設定周波数変化パターンＰｓ，Ｐｒを折れ線状の変化パターンとする場合、その折れ線は２つの屈折点を有するものに限らず、１点のみの屈折点や３点以上の屈折点を有するものにしてもよい。そしてまた、場合によっては、設定周波数変化パターンＰｓ，Ｐｒを直線状の変化パターンにしてもよい。
【００７５】
前述の実施形態では、設定周波数変化パターンＰｓ，Ｐｒを設定するパターン設定手段としてのパターン設定器Ｓｓ，Ｓｒを、設定周波数変化パターンＰｓ，Ｐｒにおける複数点夫々の座標（時間値，周波数値）の指定に応じて設定周波数変化パターンＰｓ，Ｐｒを自動的に設定する構成にしたが、これに代え、設定周波数変化パターンＰｓ，Ｐｒにおける予め規定された複数時点夫々の設定駆動周波数ｈｓｓ，ｈｒｓの指定に応じて折れ線状や曲線の設定周波数変化パターンＰｓ，Ｐｒを自動的に設定する構成にしてもよく、また、主風路２，３の風路圧についての目標変化パターンの指定、又は、主風路２，３の風路圧についての複数時点夫々の目標風路圧の指定に応じて、主風路２，３の風路圧と駆動周波数ｈｓ，ｈｒとの相関に基づき折れ線状や曲線の設定周波数変化パターンＰｓ，Ｐｒを自動的に設定する構成にしてもよい。
【産業上の利用可能性】
【００７６】
本発明による空調システムは、クリーンルームや実験施設を初め複数の対象室の夫々に対する分岐風路の通風量調整又は複数の対象室夫々の室圧調整を要する施設であれば、各種分野における種々の用途の施設に適用することができる。
【図面の簡単な説明】
【００７７】
【図１】空調システムの全体構成図
【図２】ファン出力の調整方式を説明する図
【図３】緩起動制御における設定周波数変化パターンを示す図
【図４】別実施形態の設定周波数変化パターンを示す図
【図５】従来の空調システムの構成図
【符号の説明】
【００７８】
Ｆｓ，Ｆｒ          ファン
２，３              主風路
１                  対象室
２ａ，３ａ          分岐風路
Ｖｓ，Ｖｒ          風量調整ダンパ
ｑｓ                分岐風路の通風量
ｑｓｓ              設定通風量
ａ１〜ａ３          ダンパ開度
ｂ１〜ｂ３          ダンパ開度
ｐ                  対象室の室圧
ｐｓ                設定室圧
５Ａ，５Ｂ          ダンパ制御手段
Ｘ，Ｙ              設定適正開度，設定中間開度範囲
ｘ１，ｙ１          上限開度
ｘ２，ｙ２          下限開度
Ｉｓ，Ｅｓ          ファン制御手段
Ｉｒ，Ｅｒ          ファン制御手段
ｍｓ，ｍｒ          ファンに対する駆動モータ
ｈｓ，ｈｒ          駆動周波数
Ｐｓ，Ｐｒ          設定周波数変化パターン
【図１】
2006349232.tif 000003
【図２】
2006349232.tif 000004
【図３】
2006349232.tif 000005
【図４】
2006349232.tif 000006
【図５】
2006349232.tif 000007